(57)【要約】【課題】  液晶パネルを保持するためのフレーム等の部材が不要となり、部品点数が削減でき小型化を図ることができる光学装置、光学装置の製造方法及びプロジェクタを得る。【解決手段】  液晶パネルをダイクロイックプリズム２１の光入射面２１ａ，２１ｂ，２１ｃの三面に保持部材３０を介して一体に設けられる光学プリズムユニットからなる光学装置であって、保持部材３０の脚部３２ａ，３２ａ、３２ｂ，３２ｂがダイクロイックプリズム２１の各光入射面の角部に跨ぐようにして接着固定され、保持部材３０の対向し合う「コ」の字形状の保持枠３１ａ，３１ｂに液晶パネルの画像形成領域外側のパネル外周部を所定の隙間を有して挿入し、保持枠３１ａ，３１ｂと液晶パネルとの隙間に硬化型樹脂剤３６を充填して液晶パネルを仮固定し、液晶パネルのフォーカス調整及びレジストレーション調整後に硬化型樹脂剤を固化し、ダイクロイックプリズム２１と液晶パネルとを一体化した光学プリズムユニットを構成するようにする。【選択図】  図２ 
2005215066.tif 000002
【特許請求の範囲】
【請求項１】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットからなる光学装置であって、
上記保持手段は、上記ダイクロイックプリズムの各光入射面の側端部に配置されており、開口部が対向し合う保持枠部と、上記保持枠部と一体に上記ダイクロイックプリズムへの固定部とを有するブラケットからなり、当該ブラケットの上記固定部が上記ダイクロイックプリズムに接着剤により固定され、
上記対向し合う保持枠部の間に、上記液晶パネルの画像形成領域外側のパネル外周部が所定の隙間を有して挿入され、上記保持枠部とパネル外周部との隙間に硬化型樹脂剤を充填して上記液晶パネルが仮固定され、
上記液晶パネルの仮固定状態において、上記ダイクロイックプリズムの光入射面に対して上記液晶パネルをフォーカス調整及びレジストレーション調整がなされ、
上記液晶パネルのフォーカス調整及びレジストレーション調整後に上記硬化型樹脂剤を固化し、上記ダイクロイックプリズムと上記液晶パネルとを一体化して形成された光学プリズムユニットを含む
ことを特徴とする光学装置。
【請求項２】
上記保持枠部は、「コ」の字形状あるいは「Ｕ」の字形状に対向し合うことを特徴とする請求項１に記載の光学装置。
【請求項３】
上記保持手段の上記固定部は、上記ダイクロイックプリズムの各光入射面の角隅部に接着固定されることを特徴とする請求項１に記載の光学装置。
【請求項４】
上記保持手段の上記固定部は、加圧接着性の両面接着テープを貼り付け、上記ダイクロイックプリズムの各光入射面の角隅部に接着固定されることを特徴とする請求項１に記載の光学装置。
【請求項５】
上記硬化型樹脂剤がＵＶ硬化樹脂であることを特徴とする請求項１に記載の光学装置。
【請求項６】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットからなる光学装置の製造方法であって、
上記ダイクロイックプリズムの各光入射面の側端部に位置され、開口部が対向し合う保持枠部と、該保持枠部と一体に上記ダイクロイックプリズムへの固定部とを有するブラケットからなる上記保持手段を、上記ブラケットの固定部を介して上記ダイクロイックプリズムに接着剤により固定する工程と、
上記対向し合う保持枠部に上記液晶パネルの画像形成領域外側のパネル外周部を、所定の隙間を有して挿入し、上記保持枠部とパネル外周部との隙間に硬化型樹脂剤を充填して上記液晶パネルを仮固定する工程と、
上記液晶パネルの仮固定状態において、上記ダイクロイックプリズムの光入射面に対して上記液晶パネルをフォーカス調整及びレジストレーション調整する工程と、
上記液晶パネルのフォーカス調整及びレジストレーション調整後に上記硬化型樹脂剤を固化し、上記ダイクロイックプリズムと上記液晶パネルとを一体化する工程と、
により上記光学プリズムユニットを形成することを特徴とする光学装置の製造方法。
【請求項７】
上記保持手段の上記固定部は、加圧接着性の両面接着テープを用いて上記ダイクロイックプリズムの各光入射面の角隅部に接着固定することを特徴とする請求項６に記載の光学装置の製造方法。
【請求項８】
上記硬化型樹脂剤がＵＶ硬化樹脂であることを特徴とする請求項６に記載の光学装置の製造方法。
【請求項９】
複数の色光を色光毎に画像情報に応じて変調する複数の液晶パネルと、上記液晶パネルで変調された各色光を合成するダイクロイックプリズムとを有し、上記ダイクロイックプリズムの光入射面の三面に対峙し、上記液晶パネルが保持手段を介してフォーカス調整及びレジストレーション調整されて一体に設けられる光学プリズムユニットと、
上記ダイクロイックプリズムによって形成された画像を投写する投写レンズと、
を備えたプロジェクタであって、
上記保持手段は、上記ダイクロイックプリズムの各光入射面の側端部に配置されており、開口部が対向し合う保持枠部と、上記保持枠部と一体に上記ダイクロイックプリズムへの固定部とを有するブラケットからなり、当該ブラケットの上記固定部が上記ダイクロイックプリズムに接着剤により固定され、
上記対向し合う保持枠部の間に、上記液晶パネルの画像形成領域外側のパネル外周部が所定の隙間を有して挿入され、上記保持枠部とパネル外周部との隙間に硬化型樹脂剤を充填して上記液晶パネルが仮固定され、
上記液晶パネルの仮固定状態において、上記ダイクロイックプリズムの光入射面に対して上記液晶パネルをフォーカス調整及びレジストレーション調整がなされ、
上記液晶パネルのフォーカス調整及びレジストレーション調整後に上記硬化型樹脂剤を固化し、上記ダイクロイックプリズムと上記液晶パネルとを一体化して形成された光学プリズムユニットを含む
ことを特徴とするプロジェクタ。
【請求項１０】
上記保持枠部は、「コ」の字形状あるいは「Ｕ」の字形状に対向し合うことを特徴とする請求項９に記載の光学装置。
【請求項１１】
上記保持手段の上記固定部は、上記ダイクロイックプリズムの各光入射面の角隅部に接着固定されることを特徴とする請求項９に記載のプロジェクタ。
【請求項１２】
上記保持手段の上記固定部は、加圧接着性の両面接着テープを貼り付け、上記ダイクロイックプリズムの各光入射面の角隅部に接着固定されることを特徴とする請求項９記載のプロジェクタ。
【請求項１３】
上記硬化型樹脂剤がＵＶ硬化樹脂であることを特徴とする請求項９記載のプロジェクタ。
【発明の詳細な説明】
【技術分野】
【０００１】
本発明は、複数の色光を色光毎に画像情報に応じて変調する液晶パネルと、液晶パネルで変調された色光を合成するダイクロイックプリズムとが一体化された光学装置、光学装置の製造方法及び、この光学装置を採用したプロジェクタに関する。
【背景技術】
【０００２】
従来から、光源から射出された光束をダイクロイックミラー等を用いた色分離光学系によって三原色の赤、緑、青の色光に分離すると共に、液晶パネルにより色光毎に画像情報に応じて変調し、画像変調後の各色光をダイクロイックプリズムで合成し、投写レンズを介してカラー画像を拡大投写する、いわゆる三板式のプロジェクタが知られている（例えば、特許文献１参照）。
【０００３】
上述したプロジェクタでは、各液晶パネルは投写レンズのバックフォーカスの位置になければならない。また、１個の表示画素は赤、緑、青の三原色の混色により形成されるので、より鮮明な画像を得るために各表示パネル間での画素ずれ、投写レンズからの距離のずれの発生を防止する必要がある。このため、プロジェクタの製造時において、各液晶パネルを投写レンズのバックフォーカスの位置に正確に配置するフォーカス調整、各液晶パネルの画素を一致させるレジストレーション調整を行わなければならない。
【０００４】
従って、従来では液晶パネルのフォーカス調整やレジストレーション調整を行った後、ダイクロイックプリズムの光入射面に対峙するように液晶パネルを一体に固定する光学装置が採用されている。
【０００５】
このようなダイクロイックプリズムと液晶パネルとを一体化した従来の光学装置としては、液晶パネルが収納される保持枠の四隅に孔を形成し、この孔４つの孔に対応してダイクロイックプリズム側の四隅に４つのピンが突設された保持部材を接着剤等により固定し、保持部材のピンに保持枠の孔を挿入すると共に、孔内に接着剤を充填した状態においてダイクロイックプリズムの光入射面に対して液晶パネルをレジストレーション調整等を行い、調整の後、接着剤を固化し液晶パネルを固定する、いわゆるピンスペーサ方式（ＰＯＰ：ピン・オン・プリズム）構造のものがある。
【特許文献１】特開２００３−１２１９３１号公報
【発明の開示】
【発明が解決しようとする課題】
【０００６】
しかしながら、上述したピンスペーサ方式構造の光学装置は、液晶パネルを収納するための保持枠が必要であることや、ピン及びピンが突設される保持部材が必要であることから部品点数が多く構造も複雑となるため、製造が比較的困難であるといった問題があった。そして、このような問題は光学装置の小型化指向に対して阻害要因となり、かつ製造コストの増加につながる可能性も多かった。
【０００７】
本発明は、かかる問題に鑑み、ダイクロイックプリズムと液晶パネルそのもの自体を一体化して、光学装置の小型化を図ると共に、これを利用したプロジェクタの小型化を図ることを目的とするものである。
【課題を解決するための手段】
【０００８】
上記の課題を解決し、本発明の目的を達成するため、本発明による請求項１に記載の光学装置は、色光を画像情報に応じて変調する液晶パネルがダイクロイックプリズムの光入射面の三面に保持手段を介して一体に設けられる光学プリズムユニットからなる光学装置であって、保持手段の固定部がダイクロイックプリズムの各光入射面の側端部に接着固定され、保持手段の対向し合う保持枠部に液晶パネルの画像形成領域外側のパネル外周部を所定の隙間を有して挿入し、保持枠部とパネル外周部との隙間に硬化型樹脂剤を充填して液晶パネルを仮固定し、液晶パネルの仮固定状態において液晶パネルのフォーカス調整及びレジストレーション調整後に硬化型樹脂剤を固化し、ダイクロイックプリズムと液晶パネルとを一体化した光学プリズムユニットを構成することを特徴とする。
【０００９】
また、本発明による請求項６に記載の光学装置の製造方法は、色光を画像情報に応じて変調する液晶パネルをダイクロイックプリズムの光入射面の三面に保持手段を介して一体に設けられる光学プリズムユニットからなる光学装置であって、保持手段の固定部がダイクロイックプリズムの各光入射面の側端部に接着固定される工程と、保持手段の対向し合う保持枠部に液晶パネルの画像形成領域外側のパネル外周部を所定の隙間を有して挿入し、保持枠部とパネル外周部との隙間に硬化型樹脂剤を充填して液晶パネルを仮固定する工程と、液晶パネルの仮固定状態において液晶パネルのフォーカス調整及びレジストレーション調整する工程と、液晶パネルのフォーカス調整及びレジストレーション調整後に硬化型樹脂剤を固化し、ダイクロイックプリズムと液晶パネルとを一体化する工程とにより光学プリズムユニットを構成することを特徴とする。
【００１０】
また、本発明による請求項９記載のプロジェクタは、色光を画像情報に応じて変調する液晶パネルをダイクロイックプリズムの光入射の三面に保持部材を介してフォーカス調整及びレジストレーション調整されて一体に設けられる光学プリズムユニットと、ダイクロイックプリズムによって形成された画像を投写する投写レンズとを備えたプロジェクタであって、保持手段の固定部がダイクロイックプリズムの各光入射面の側端部に接着固定され、保持手段の対向し合う保持枠部に液晶パネルの画像形成領域外側のパネル外周部を所定の隙間を有して挿入し、保持枠部とパネル外周部との隙間に硬化型樹脂剤を充填して液晶パネルを仮固定し、液晶パネルの仮固定状態において液晶パネルのフォーカス調整及びレジストレーション調整後に硬化型樹脂剤を固化し、ダイクロイックプリズムと液晶パネルとを一体化した光学プリズムユニットを構成することを特徴とする。
【発明の効果】
【００１１】
本発明の光学装置、光学装置の製造方法及びプロジェクタによれば、ダイクロイックプリズムの光入射面に液晶パネルのガラス面を保持手段によって一体化できるようにしたので、液晶パネルを保持するためのフレーム等の部材が不要となり、これによって、部品点数が削減できることから光学装置の小型化はもとよりプロジェクタの小型化を図ることができる。また、液晶パネル自体が外環境に露出されるので、液晶パネルの冷却効果も向上することができる。
【発明を実施するための最良の形態】
【００１２】
以下、本発明による光学装置、光学装置の製造方法及びプロジェクタの最良の形態を、液晶パネルが三板式の液晶プロジェクタを例にとって図面を参照して説明する。
【００１３】
図１は液晶プロジェクタの光学系を模式的に示した全体図である。
液晶プロジェクタ１は光源２及びインテグレータレンズ３，４で構成された光源ランプユニットと、全反射ミラー５，６，７，１０、赤色光及び緑色光を反射し青色光のみを透過するダイクロイックミラー８、緑色光のみを反射するダイクロイックミラー９、集光レンズ１１，１２，１３，１４，１５で構成され、光源２からの白色光を赤、青、緑に色分解し、色分解された各色を集光する照射光学ユニットと、青色、緑色及び赤色にそれぞれ対応し集光された光を画像情報に応じて変調する青色用の液晶パネル２２，緑色用の液晶パネル２３，赤色用の液晶パネル２４及び変調された各光を色合成するダイクロイックプリズム２１からなる光学プリズムユニット２０と、色合成された光を拡大投影する投射レンズからなる投影光学ユニット１６で構成されている。
【００１４】
上述した液晶プロジェクタ１によれば、光源２から出射された白色光は、照射光学ユニットにより青色、緑色及び赤色の三原色に色分解され、それぞれ対応する液晶パネル２２，２３，２４で変調され、それぞれ青色用の画像、緑色用の画像及び赤色用の画像が形成される。そして、液晶パネル２２，２３，２４により形成された各画像は、ダイクロイックプリズム２１により合成され、合成されたカラー画像は投影光学ユニット１６によりスクリーン１７上へ投影されるようになっている。
【００１５】
各液晶パネル２２，２３，２４は、ダイクロイックプリズム２１の三面の光入射面２１ａ，２１ｂ，２１ｃに本発明の特徴部分である後述する保持手段である保持部材３０を介在し、それぞれ所定の間隔を隔てて対峙され、フォーカス調整及びレジストレーション調整された状態にして一体に固定されるものである。
【００１６】
図２にダイクロイックプリズム２１と、各液晶パネル２２，２３，２４と、保持部材３０とをそれぞれ分離した外観斜視図を示す。なお、ダイクロイックプリズム２１にはその上下面部に台座２５ａ，２５ｂが取り付けられ、上面部の台座２５ａにはダイクロイックプリズム２１をプロジェクタに保持するためのホルダ２６が一体に設けられている。
【００１７】
ここで、液晶パネル２２はダイクロイックプリズム２１の光入射面２１ａに対応し、液晶パネル２３はダイクロイックプリズム２１の光入射面２１ｂに対応し、そして、液晶パネル２４はダイクロイックプリズム２１の光入射面２１ｃに対応している。なお、ダイクロイックプリズム２１の残りの一面２１ｄはダイクロイックプリズム２１により合成された各液晶パネル２２，２３，２４からの各画像を射出する光射出面である。
【００１８】
また、各液晶パネル２２，２３，２４の構造は同一であるので、液晶パネル２４を例にとって説明する。液晶パネル２４は駆動基板（例えば、複数のライン上の電極と、画素を構成する電極と、これらの間に電気的に接続されたＴＦＴ素子とが形成されたガラス基板）２４Ａと、対向基板（例えば、共通電極が形成されたガラス基板）２４Ｂとの間に液晶が封入されたものであり、これらのガラス基板の間から信号制御用のフレキ基板２４Ｃが引き出されているものである。
【００１９】
以下に液晶パネル２４が保持される保持部材３０の好ましい実施の形態を詳細に説明する。
保持部材３０は透明なプラスチック材、例えば、ポリカーボネート材あるいはアクリル材により一体に成形されている。保持部材３０の主体部は液晶パネル２４を保持するための部材が平面から見て例えば、「コ」の字形状の保持枠３１ａ，３１ｂが対向し合うようにされているスロット状のブラケットである。この「コ」の字形状の保持枠３１ａ，３１ｂの内壁面間の幅間隔ａは液晶パネル２４の横幅ａ’より多少大きく、また、保持枠３１ａ，３１ｂの内壁面奥行き間隔ｂは液晶パネル２４の厚みｂ’より多少広くされている。従って、保持枠３１ａ，３１ｂ内に液晶パネル２４の破線で示した画像形成領域２４ａより外側のパネル外周部のガラス部分２４ｂが挿入されたとき、液晶パネル２４が水平方向や垂直方向、厚み方向及び回転方向に所定の隙間を有して緩く（いわゆる、ガタが生じるように）挿入されるような内壁面となっている。
【００２０】
上述した保持枠３１ａ，３１ｂの背面側（ダイクロイックプリズム２１側）には、ダイクロイックプリズム２１への固定部である二股状の脚部３２ａ，３２ａ、３２ｂ，３２ｂが形成されている。一方の脚部３２ａ，３２ａはダイクロイックプリズム２１の光入射面２１ｂと２１ｃとでなす角部に跨がるように脚部端面が面接触するように当接され、他方の脚部３２ｂ，３２ｂはダイクロイックプリズム２１の光入射面２１ｃと光射出面２１ｄとでなす角部に跨がるように脚部端面が面接触するように当接される。
【００２１】
そして、一方の脚部３２ａ側の端面には後述する液晶パネル２３を保持するための一方の「コ」の字形状の保持枠３４ａが形成されている。
【００２２】
また、上述のように構成された保持枠３１ａ，３１ｂはその脚部３２ａ，３２ｂ間がフレーム３３により一体に連繋され、このフレーム３３には液晶パネル２４の画像形成領域２４ａのエリアとほぼ同等の窓孔３３ａが開口している。
【００２３】
保持部材３０は以上のように構成されている。この保持部材３０と同一形状のものを用いてダイクロイックプリズム２１側の液晶パネル２２を保持する部材が符号３５で示した保持部材である。この保持部材３５は上述した保持部材３０を上下反転したものであり、保持部材３０と同一構成部分には同じ符号を付してある。
【００２４】
ここで、図２において保持部材３０と保持部材３５がダイクロイックプリズム２１の光入射面２１ａと光入射面２１ｃに対面させた状態にすることにより、保持部材３０，３５にそれぞれ一体に設けられている保持枠３４ａ，３４ａが対向し合うようになり、この両保持枠３４ａ，３４ａに液晶パネル２３が保持されることになる。これによって、２つの保持部材３０，３５を用いて３つの液晶パネル２２，２３，２４を保持することができる。この場合、保持枠３４ａ，３４ａは対向し合うだけであり、保持部材３０，３５のように保持枠を連繋するフレームは存在しない。
【００２５】
次に、２つの保持部材３０，３５を使用してダイクロイックプリズム２１に液晶パネル２２，２３，２４を一体に固定する手順を図２を参照して説明する。
【００２６】
両保持部材３０，３５のそれぞれの脚部３２ａ，３２ｂの端面には予め加圧性接着剤が形成されている。一例として市販の両面接着テープを使用し、一方の面の剥離紙を剥がして脚部端面に接着テープを貼り付けた後、他方の剥離紙を剥がすことによって接着剤層を形成することができる。
【００２７】
このようにそれぞれの脚部３２ａ，３２ｂに接着剤が形成された保持部材３０，３５は、ダイクロイックプリズム２１の角部を跨ぐようにして脚部３２ａ，３２ｂが接着固定される。その後、保持部材３０，３５の各々の対面し合う保持枠３１ａ，３１ｂ及び保持枠３４ａ，３４ａにそれぞれ液晶パネル２２，２３，２４が挿入されると共に、保持枠の内壁面と液晶パネルとの間の隙間にＵＶ（紫外線）硬化型樹脂３６が充填される。
【００２８】
図３はダイクロイックプリズム２１の各光入射面２１ａ，２１ｂ，２１ｃに各液晶パネル２２，２３，２４が対峙し、保持部材３０，３５に各液晶パネル２２，２３，２４を挿入した状態の平面図である。この図に示すように各液晶パネル２２，２３，２４は図示しない治具によりハンドリングされて保持部材３０，３５に挿入され、ＵＶ（紫外線）硬化型樹脂３６が充填されているこの状態は、液晶パネルをフォーカス調整やレジストレーション調整する前の仮固定した状態である。
【００２９】
このように、各液晶パネル２２，２３，２４は治具によりハンドリングされた状態で、バックフォーカスの位置を正確に配置するフォーカス調整と、各液晶パネル２２，２３，２４の各画素を一致させるレジストレーション調整が各液晶パネル同時に行われる。
【００３０】
このフォーカス調整とレジストレーション調整の様子を図２に基づき液晶パネル２３について説明すると、投写レンズの光軸Ｌ方向をＺ軸とし、これと直交する２軸をＸ軸、Ｙ軸とした時、フォーカス調整にはＺ軸方向、Ｘ軸を中心とした回転方向（Ｘθ方向）、Ｙ軸を中心とした回転方向（Ｙθ方向）の調整が行われる。また、レジストレーション調整にはＸ軸方向、Ｙ軸方向及びＸＹ面内における回転方向（θ方向）、Ｘ軸方向、Ｙ軸方向のアオリ角調整が行われる。同様に、液晶パネル２２，２４についても液晶パネル２３と同時にフォーカス調整及びレジストレーション調整が行われる。これによって、液晶パネル２２，２３，２４の上述したような位置調整により液晶パネルをダイクロイックプリズム２１の各光入射面２１ａ，２１ｂ，２１ｃに対して精度よく色合成された状態で位置決めすることができる。
【００３１】
このようにして各液晶パネル２２，２３，２４が位置調整された後、液晶パネルの位置を保持した状態のまま、ＵＶ硬化型樹脂３６にＵＶ照射することにより、ＵＶ硬化型樹脂３６が硬化し、これによって、液晶パネル２２，２３，２４が位置調整されたときの姿勢のままの状態を維持し固定される。従って、ＵＶ硬化型樹脂３６が硬化された後は、液晶パネルから図示しない治具を離しても、各液晶パネル２２，２３，２４はダイクロイックプリズム２１の各光入射面２１ａ，２１ｂ，２１ｃに対してフォーカス調整やレジストレーション調整された状態を保持して一体化されることになる。
【００３２】
ＵＶ硬化型樹脂３６は、液晶パネル２２，２３，２４のフォーカス調整やレジストレーション調整の前に保持枠の内壁と液晶パネルとの間の隙間に充填される場合について説明したが、保持枠に液晶パネル２２，２３，２４を挿入したときにフォーカス調整やレジストレーション調整を行い、フォーカス調整及びレジストレーション調整後に、保持枠の内壁と液晶パネルとの間の隙間にＵＶ硬化型樹脂３６を充填し、その後、直ちにＵＶ照射を行いＵＶ硬化型樹脂３６を硬化するようにしてもよい。しかし、いずれの場合であっても、ＵＶ硬化型樹脂３６は保持枠の内壁面と液晶パネルとの間の隙間に充填するものであるため、保持枠内から漏れ出ないように粘性の高いＵＶ硬化型樹脂が好適である。
【００３３】
上述したように本発明の実施の形態では、ダイクロイックプリズム２１に予め接着固定されたスロット状の保持枠に液晶パネルの画像形成領域以外の外周のガラス面を直接、隙間を設けて挿入し、保持枠と液晶パネルとの隙間にＵＶ硬化型樹脂３６を充填した状態でダイクロイックプリズム２１の光入射面に対して液晶パネルをＸ、Ｙ、Ｚ軸及びθ方向あるいはＸ、Ｙ、Ｚ軸におけるアオリ方向に動かしてフォーカス調整及びレジストレーション調整した後、ＵＶ硬化型樹脂をＵＶ硬化させてダイクロイックプリズム２１と液晶パネルとの一体化を図るようにしている。この結果、従来のような液晶パネルを保持するためのフレームが一切必要なく、これによって、部品点数が削減できることから光学装置の小型化はもとよりプロジェクタの小型化を図ることができる。
【００３４】
また、液晶パネル２２，２３，２４を保持するための保持部材は符号３０、３５で示したような一種類の形状のものを用意すればよい。すなわち、保持部材３０はダイクロイックプリズム２１の光入射面２１ｃ用の保持部材となり、保持部材３５は保持部材３０を上下反転することでダイクロイックプリズム２１の光入射面２１ａ用の保持部材となり、そして、保持部材３０と保持部材３５の保持枠３４ａ，３４ａを利用してダイクロイックプリズム２１の光入射面２１ｂの保持部材とすることができる。これによって、保持部材の生産コストを安価にすることができる。
【００３５】
また、本発明は液晶パネルがスロット状の保持部材で保持されているものの、液晶パネル自体が外環境に露出している構造であるので、プロジェクタの動作中、高温となる液晶パネルを冷却するためのファンからの風が例えば、図４に示す実線矢印のように下方から上方へ流れる構造のファンの場合、ファンからの送風によって液晶パネルを効果的に冷却することができる。
【００３６】
本発明は、上述しかつ図面に示した実施の形態に限定されるものでなく、その要旨を逸脱しない範囲内で種々の変形実施が可能である。
【００３７】
本発明の実施の形態では、液晶パネル２２，２３，２４の保持部材として実施の形態では、ダイクロイックプリズム２１の光入射面２１ａ側と光入射面２１ｃ側とをそれぞれ別々の保持部材３０と保持部材３５から構成した場合について説明したが、保持部材３０と保持部材３５の脚部３２ａ，３２ａを保持部材３０にあるような窓孔を有するフレームで連繋し、一つの部材でダイクロイックプリズム２１の光入射面の三面を包囲するように一体化するようにしてもよい。
【００３８】
また、液晶パネル２２，２３，２４を保持するための保持枠は、「コ」の字形状以外に「Ｕ」の字形状や「Ｃ」の字形状等、対向し合う部分が開口されているものであれば、その形状については限定するものではない。
【００３９】
さらに、保持部材３０や保持部材３５の保持枠に液晶パネルを安定的に固化するための硬化型樹脂としては、ＵＶ硬化型樹脂以外の例えば、通常の熱硬化型樹脂であってもよく、あるいは常温で乾燥性の速い硬化型樹脂を使用する場合してもよい。
【図面の簡単な説明】
【００４０】
【図１】本発明の実施の形態におけるプロジェクタの光学系を模式的に示したブロック図である。
【図２】本発明の実施の形態におけるダイクロイックプリズムと保持部材と液晶パネルとを分離した状態の外観斜視図である。
【図３】保持部材に液晶パネルが仮固定された状態の平面図である。
【図４】保持部材に保持された液晶パネルへの冷却風の流れを示した説明図である。
【符号の説明】
【００４１】
１…プロジェクタ、２１…ダイクロイックプリズム、２１ａ，２１ｂ，２１ｃ…光入射面、２２，２３，２４…液晶パネル、３０…保持部材、３１ａ，３１ｂ…保持枠、３２ａ，３２ｂ…脚部、３３…フレーム、３３ａ…窓孔、３４ａ…保持枠、３５…保持部材、３６…ＵＶ硬化型樹脂
【図１】
2005215066.tif 000003
【図２】
2005215066.tif 000004
【図３】
2005215066.tif 000005
【図４】
2005215066.tif 000006